(57)【要約】      （修正有）【課題】ＣＡＤシステムでの作業効率を低下させずにコマンドを入力するＣＡＤコマンド入力装置を提供する。【解決手段】ＣＡＤシステムにコマンドを入力するＣＡＤコマンド入力装置は、コマンドを示す音声を入力してコマンド音声信号に変換するマイクと、マイクが音声から変換したコマンド音声信号を文字列に変換する文字列変換手段と、複数種類のコマンドを記憶しているコマンド記憶手段と、文字列変換手段がコマンド音声信号から変換した文字列を、コマンド記憶手段が記憶している複数種類のコマンドと対比して、その文字列に対応するコマンドを選択するコマンド選択手段と、コマンド選択手段が選択したコマンドをＣＡＤシステムに入力するコマンド入力手段と、を備える。【選択図】図１
2018049350.tif 000002
【特許請求の範囲】
【請求項１】
ＣＡＤシステムにコマンドを入力する装置において、
コマンドを示す音声を入力してコマンド音声信号に変換するマイクと、
前記マイクが音声から変換したコマンド音声信号を文字列に変換する文字列変換手段と、
複数種類のコマンドを記憶しているコマンド記憶手段と、
前記文字列変換手段がコマンド音声信号から変換した文字列を、前記コマンド記憶手段が記憶している複数種類のコマンドと対比して、その文字列に対応するコマンドを選択するコマンド選択手段と、
前記コマンド選択手段が選択したコマンドを前記ＣＡＤシステムに入力するコマンド入力手段と、
を具えることを特徴とするＣＡＤコマンド入力装置。
【請求項２】
前記マイクと、前記文字列変換手段と、前記コマンド記憶手段と、前記コマンド選択手段と、前記コマンド入力手段と、のうちの少なくとも一つを、前記ＣＡＤシステムを構成するコンピューターが具えていることを特徴とする、請求項１記載のＣＡＤコマンド入力装置。
【請求項３】
前記マイクと、前記文字列変換手段と、前記コマンド記憶手段と、前記コマンド選択手段と、前記コマンド入力手段と、のうちの少なくとも一つを、前記ＣＡＤシステムを構成するコンピューターに付属するキーボードが具えていることを特徴とする、請求項１記載のＣＡＤコマンド入力装置。
【請求項４】
前記マイクと、前記文字列変換手段と、前記コマンド記憶手段と、前記コマンド選択手段と、前記コマンド入力手段と、のうちの少なくとも一つを、前記ＣＡＤシステムを構成するコンピューターに接続された外部装置が具えていることを特徴とする、請求項１記載のＣＡＤコマンド入力装置。
【発明の詳細な説明】
【技術分野】
【０００１】
この発明は、ＣＡＤ（コンピューター支援設計）システムに用いられるコマンド（命令）入力装置に関し、特には、片手でマウスやタッチペン等を微妙に操作している場合でもコマンド入力が可能なコマンド入力装置に関するものである。
【背景技術】
【０００２】
ＣＡＤシステムは通常、ＣＡＤソフトウェアをインストールされたコンピューターがそのソフトウェアに従って作動することで構成され、そのＣＡＤシステムのユーザーによるコンピューターに付属するマウスやタッチペン、キーボード等の操作に従い、画面上に形状線や寸法線等を表示したり、あるいは画面上に表示している形状線や寸法線等を変形させたり消去したりする。
【０００３】
その際、ＣＡＤシステムに作業内容を指示するためにコマンドを入力する必要があり、コマンドの入力は通常、画面上の作画領域の外側に表示されたコマンド毎のアイコン上にマウスやタッチペン等でカーソルを移動させてマウスのボタンのクリックやタッチペンでの画面のタップ等をすることで行われたり、キーボードでコマンドの文字列、例えば直線の作画の「ＬＩＮＥ」、円の作画の「ＣＩＲＣＬＥ」等をコマンドラインに直接打ち込むことで行われたりする。
【０００４】
このように、コマンド入力の際には通常マウスやタッチペン、キーボード等の操作を行うことから作画作業をある程度の間中断する必要があるので、作画効率を高めるためにコマンド入力効率を高める方法が従来から検討されており、例えば特許文献１記載のシステムでは、ＣＡＤシステムの操作状況を記録し、その記録を参照して、ユーザーが入力する可能性の高いコマンド候補をユーザーが選択しやすい位置に表示している。
【先行技術文献】
【特許文献】
【０００５】
【特許文献１】特開２０１１−０６５６１７号公報
【発明の概要】
【発明が解決しようとする課題】
【０００６】
しかしながら上記従来のシステムでも、コマンドの入力自体はマウスやタッチペン、キーボード等の操作で行う必要がある。その一方で作画中には、例えばマウスやタッチペン等でカーソルを移動させて曲線を作画している途中でそのカーソル位置から先の線種を実線から破線に切り替えて作画するといった作業や、円の中心にカーソルを置いて円を作画する際に単独円から同心円に切り替えるといった作業が必要になる場合があり、このような場合に従来のシステムでは、カーソルをコマンドアイコン上に移動させると、正確に基の作画位置にカーソルを戻すためには時間と手間がかかってしまい、元の作画位置に近い位置にしか戻せない場合も生じるといった不都合があり、キーボードからのコマンド文字列の入力の場合でも、入力作業に時間と手間がかかるとともに作画作業から注意力が削がれるという不都合があった。
【課題を解決するための手段】
【０００７】
この発明は、上述した従来の課題を有利に解決するＣＡＤコマンド入力装置を提供するものであり、この発明のＣＡＤコマンド入力装置は、図１の概念図にその構成を示すように、
ＣＡＤシステムにコマンドを入力する装置において、
コマンドを示す音声を入力してコマンド音声信号に変換するマイクと、
前記マイクが音声から変換したコマンド音声信号を文字列に変換する文字列変換手段と、
複数種類のコマンドを記憶しているコマンド記憶手段と、
前記文字列変換手段がコマンド音声信号から変換した文字列を、前記コマンド記憶手段が記憶している複数種類のコマンドと対比して、その文字列に対応するコマンドを選択するコマンド選択手段と、
前記コマンド選択手段が選択したコマンドを前記ＣＡＤシステムに入力するコマンド入力手段と、
を具えることを特徴としている。
【発明の効果】
【０００８】
かかるこの発明のＣＡＤコマンド入力装置にあっては、ＣＡＤシステムのユーザーがマウスやタッチペン等を使用してそのＣＡＤシステムの画面上で作画している際に、そのユーザーがコマンド（命令）を示す音声を発声すると、マイクがそのコマンドを示す音声をコマンド音声信号に変換し、コマンド変換手段がそのマイクが音声から変換したコマンド音声信号を文字列に変換し、その一方、コマンド記憶手段が複数種類のコマンドをあらかじめ記憶しており、コマンド選択手段が、コマンド音声信号から変換した文字列を、コマンド記憶手段が記憶している複数種類のコマンドと対比して、その文字列に対応するコマンドを選択し、コマンド入力手段が、その選択したコマンドを前記ＣＡＤシステムに入力し、ＣＡＤシステムがそのコマンドに従って作業内容を変更する。
【０００９】
従って、この発明のＣＡＤコマンド入力装置によれば、ＣＡＤシステムのユーザーがマウスやタッチペン等を使用してそのＣＡＤシステムの画面上で作画している際に、マウスやタッチペン等でカーソルをコマンドのアイコン上に移動させなくても、音声でコマンドを入力して作業内容を変更することができるので、作画作業を継続しつつコマンドを入力し得て作画効率を高めることができる。
【００１０】
なお、この発明のＣＡＤコマンド入力装置においては、前記マイクと、前記文字列変換手段と、前記コマンド記憶手段と、前記コマンド選択手段と、前記コマンド入力手段と、のうちの少なくとも一つを、前記ＣＡＤシステムを構成するコンピューターが具えていてもよい。
【００１１】
また、この発明のＣＡＤコマンド入力装置においては、前記マイクと、前記文字列変換手段と、前記コマンド記憶手段と、前記コマンド選択手段と、前記コマンド入力手段と、のうちの少なくとも一つを、前記ＣＡＤシステムを構成するコンピューターに付属するキーボードが具えていてもよい。
【００１２】
さらに、この発明のＣＡＤコマンド入力装置においては、前記マイクと、前記文字列変換手段と、前記コマンド記憶手段と、前記コマンド選択手段と、前記コマンド入力手段と、のうちの少なくとも一つを、前記ＣＡＤシステムを構成するコンピューターに接続された外部装置が具えていてもよい。
【図面の簡単な説明】
【００１３】
【図１】この発明のＣＡＤコマンド入力装置の構成を示す概念図である。
【図２】この発明のＣＡＤコマンド入力装置の一実施形態の構成を示すブロック線図である。
【図３】図２に示す実施形態のＣＡＤコマンド入力装置の具体的な構成例を示す説明図である。
【図４】この発明のＣＡＤコマンド入力装置の他の一実施形態の構成を示すブロック線図である。
【図５】図４に示す実施形態のＣＡＤコマンド入力装置の具体的な構成例を示す説明図である。
【図６】図４に示す実施形態のＣＡＤコマンド入力装置の他の具体的な構成例を示す説明図である。
【発明を実施するための形態】
【００１４】
以下、本発明の実施の形態を実施例によって、図面に基づき詳細に説明する。ここに、図２は、この発明のＣＡＤコマンド入力装置の一実施形態の構成を示すブロック線図であり、図３は、その図２に示す実施形態のＣＡＤコマンド入力装置の具体的な構成例を示す説明図である。
【００１５】
この実施形態のＣＡＤコマンド入力装置は、図３に示すように、通常のマイク１と、そのマイク１が接続された通常のパーソナルコンピューター２とを具え、そのパーソナルコンピューター２には、通常のマウス９、通常のキーボード１０および通常のディスプレイ装置１１がそれぞれＵＳＢ（ユニバーサル・シリアル・バス）等で接続されており、このパーソナルコンピューター２は、例えばＡｕｔｏＣＡＤ（登録商標）等の後述する既存のコマンドおよび数値データ入力型ＣＡＤプログラム８をインストールされていて、そのコマンドおよび数値データ入力型ＣＡＤプログラム８の実行によりマウス９、キーボード１０およびディスプレイ装置１１と共にＣＡＤシステムを構成する。
【００１６】
そして図２に示すこの実施形態のＣＡＤコマンド入力装置の、マイク１以外の構成要素は、パーソナルコンピューター２内に具えられており、そのパーソナルコンピューター２内の構成要素のうちマザーボードに通常のオーディオモジュールとして搭載されているアンプ３以外は、パーソナルコンピューター２にアドオン型あるいはプラグイン型のプログラムとしてインストールされている。
【００１７】
しかしてこの実施形態のＣＡＤコマンド入力装置では、コマンドを示す音声をマイク１で入力してアナログ電気信号のコマンド音声信号に変換し、そのコマンド音声信号をアンプ３で増幅した後、通常のＡ／Ｄ（アナログ−デジタル）変換器４でデジタル電気信号のコマンド音声データに変換し、そのコマンド音声データを通常の音声判別プログラム５で文字列に変換し、その一方でＣＡＤプログラムの種類別に多数のコマンドを登録したコマンドリストを通常のコマンドリスト記憶プログラム６でメモリー等にあらかじめ記憶しておき、文字列対応コマンド選択プログラム７で、メモリー等に記憶しているコマンドリストのうちの、動作中のＣＡＤプログラムの種類に対応するコマンドリストからその変換した文字列に対応するコマンドを選択して出力し、そのコマンドを図示しない後述の割り込み入力処理プログラムが、上述したコマンドおよび数値データ入力型ＣＡＤプログラム８に入力する。なお、文字列対応コマンド選択プログラム７は、コマンドの文字列そのものだけでなくあらかじめコマンドとの対応関係を登録した省略形等の文字列からも対応するコマンドを選択する機能を有していてもよい。
【００１８】
コマンドおよび数値データ入力型ＣＡＤプログラム８は、通常はユーザーによるマウス９の操作およびキーボード１０のキー入力によりコマンドや数値等を入力されて、ディスプレイ装置１１の画面上にそのコマンドに従って直線や円や寸法線等の図形を表示するとともに、その数値等に従ってその図形の寸法や配置等を定め、さらにはマウス９の操作により、画面上の図形を移動させたり図形の寸法を定めたりするが、一定時間毎にこの実施形態のＣＡＤコマンド入力装置の文字列対応コマンド選択プログラム７からのコマンド出力の有無を確認し、コマンド出力があったらそのコマンドを入力する上記割り込み入力処理プログラムを付加されており、これによりコマンドおよび数値データ入力型ＣＡＤプログラム８は、文字列対応コマンド選択プログラム７がユーザーの音声入力に対応して選択したコマンドをそこに入力すると、マウス９やキーボード１０からのコマンド入力なしに作画機能を切り替えて、そのユーザーが音声入力したコマンドで作画を継続する。
【００１９】
従って、アンプ３とＡ／Ｄ変換器４と音声判別プログラム５とが文字列変換手段に相当し、コマンドリスト記憶プログラム６がコマンド記憶手段に相当し、文字列対応コマンド選択プログラム７がコマンド選択手段に相当し、上記割り込み入力処理プログラムがコマンド入力手段に相当しており、この実施形態のＣＡＤコマンド入力装置によれば、ＣＡＤシステムのユーザーがマウス９やキーボード１０を使用してディスプレイ装置１１の画面上で作画している際に、マウス９でカーソルをコマンドのアイコン上に移動させたりキーボード１０からコマンドを打ち込んだりしなくても、音声でコマンドを入力して作業内容を変更することができるので、作画作業を継続しつつコマンドを入力し得て作画効率を高めることができる。なお、この実施形態のＣＡＤコマンド入力装置は、例えばＣＡＤシステムの画面上のアイコンを操作することで任意のタイミングでオン・オフすることができる。
【００２０】
図４は、この発明のＣＡＤコマンド入力装置の他の一実施形態の構成を示すブロック線図であり、図５は、図４に示す実施形態のＣＡＤコマンド入力装置の具体的な構成例を示す説明図である。
【００２１】
この実施形態のＣＡＤコマンド入力装置は、図５に示すように、通常のマイク１と、そのマイク１が接続されたキーボード１０とを具え、そのキーボード１０は通常のパーソナルコンピューター２に、通常のマウス９および通常のディスプレイ装置１１と共にそれぞれＵＳＢ（ユニバーサル・シリアル・バス）等で接続されており、このパーソナルコンピューター２は、例えばＡｕｔｏＣＡＤ（登録商標）等の後述する既存のコマンドおよび数値データ入力型ＣＡＤプログラム８をインストールされていて、そのコマンドおよび数値データ入力型ＣＡＤプログラム８の実行によりマウス９、キーボード１０およびディスプレイ装置１１と共にＣＡＤシステムを構成する。
【００２２】
そして図５に示すこの実施形態のＣＡＤコマンド入力装置の、マイク１以外の構成要素はキーボード１０内に具えられており、そのキーボード１０内の構成要素のうちアンプ３は、キーボード１０内に搭載された図示しない通常のマイクロコンピュータにオーディオチップとして搭載され、アンプ３以外すなわちＡ／Ｄ変換器４と音声判別プログラム５とコマンドリスト記憶プログラム６と文字列対応コマンド選択プログラム７とミキサー１２とはそのマイクロコンピュータにプログラムとしてインストールされている。なお、このマイクロコンピュータの電源は、例えばキーボード１０を介してパーソナルコンピューター２から得ることができる。
【００２３】
この実施形態のＣＡＤコマンド入力装置では、先の実施形態におけると同様、コマンドを示す音声をマイク１で入力してアナログ電気信号のコマンド音声信号に変換し、そのコマンド音声信号をアンプ３で増幅した後、通常のＡ／Ｄ（アナログ−デジタル）変換器４でデジタル電気信号のコマンド音声データに変換し、そのコマンド音声データを通常の音声判別プログラム５で文字列に変換し、その一方でＣＡＤプログラムの種類別に多数のコマンドを登録したコマンドリストを通常のコマンドリスト記憶プログラム６でメモリー等にあらかじめ記憶しておき、文字列対応コマンド選択プログラム７で、メモリー等に記憶しているコマンドリストのうちの、動作中のＣＡＤプログラムの種類に対応するコマンドリストからその変換した文字列に対応するコマンドを選択する。
【００２４】
そしてこの実施形態のＣＡＤコマンド入力装置では、そのコマンドを文字列対応コマンド選択プログラム７からミキサー１２に出力し、ミキサー１２でキーボード１０のキー操作入力に加えて上述したコマンドおよび数値データ入力型ＣＡＤプログラム８に入力する。なお、ここでも文字列対応コマンド選択プログラム７は、コマンドの文字列そのものだけでなくあらかじめコマンドとの対応関係を登録した省略形等の文字列からも対応するコマンドを選択する機能を有していてもよい。
【００２５】
従って、アンプ３とＡ／Ｄ変換器４と音声判別プログラム５とが文字列変換手段に相当し、コマンドリスト記憶プログラム６がコマンド記憶手段に相当し、文字列対応コマンド選択プログラム７がコマンド選択手段に相当し、ミキサー１２がコマンド入力手段に相当しており、この実施形態のＣＡＤコマンド入力装置によれば、先の実施形態と同様に、ＣＡＤシステムのユーザーがマウス９やキーボード１０を使用してディスプレイ装置１１の画面上で作画している際に、マウス９でカーソルをコマンドのアイコン上に移動させたりキーボード１０からコマンドを打ち込んだりしなくても、音声でコマンドを入力して作業内容を変更することができるので、作画作業を継続しつつコマンドを入力し得て作画効率を高めることができる。
【００２６】
しかも、この実施形態のＣＡＤコマンド入力装置によれば、キーボード１０内に搭載された通常のマイクロコンピュータを用いるので、パーソナルコンピューター２はその処理能力を主にコマンドおよび数値データ入力型ＣＡＤプログラム８の実行に用いることができ、これによりコマンドおよび数値データ入力型ＣＡＤプログラム８の実行速度を確保することができる。なお、この実施形態のＣＡＤコマンド入力装置は、例えばパーソナルコンピューター２がディスプレイ装置１１に表示するデスクトップ画面上のアイコンを操作することで任意のタイミングでオン・オフすることができる。
【００２７】
図６は、図４に示す実施形態のＣＡＤコマンド入力装置の他の具体的な構成例を示す説明図であり、図５に示す構成例ではマイク１以外の構成要素はキーボード１０内に具えられているが、図６に示すこの構成例では外部装置としての外付けのシステムボックス１３が設けられ、このシステムボックス１３にマイク１とキーボード１０とが接続され、このシステムボックス１３は通常のパーソナルコンピューター２に、通常のマウス９および通常のディスプレイ装置１１と共にそれぞれＵＳＢ（ユニバーサル・シリアル・バス）等で接続されており、このパーソナルコンピューター２は、例えばＡｕｔｏＣＡＤ（登録商標）等の後述する既存のコマンドおよび数値データ入力型ＣＡＤプログラム８をインストールされていて、そのコマンドおよび数値データ入力型ＣＡＤプログラム８の実行によりマウス９、キーボード１０およびディスプレイ装置１１と共にＣＡＤシステムを構成する。
【００２８】
そして図６に示すこの実施形態のＣＡＤコマンド入力装置の、マイク１以外の構成要素はシステムボックス１３内に具えられており、そのシステムボックス１３内の構成要素のうちアンプ３は、システムボックス１３内に搭載された図示しない通常のマイクロコンピュータにオーディオチップとして搭載され、アンプ３以外すなわちＡ／Ｄ変換器４と音声判別プログラム５とコマンドリスト記憶プログラム６と文字列対応コマンド選択プログラム７とミキサー１２とはそのマイクロコンピュータにプログラムとしてインストールされている。なお、このマイクロコンピュータの電源は、例えばパーソナルコンピューター２から得ることができる。
【００２９】
この実施形態のＣＡＤコマンド入力装置では、先の実施形態におけると同様、コマンドを示す音声をマイク１で入力してアナログ電気信号のコマンド音声信号に変換し、そのコマンド音声信号をアンプ３で増幅した後、通常のＡ／Ｄ（アナログ−デジタル）変換器４でデジタル電気信号のコマンド音声データに変換し、そのコマンド音声データを通常の音声判別プログラム５で文字列に変換し、その一方でＣＡＤプログラムの種類別に多数のコマンドを登録したコマンドリストを通常のコマンドリスト記憶プログラム６でメモリー等にあらかじめ記憶しておき、文字列対応コマンド選択プログラム７で、メモリー等に記憶しているコマンドリストのうちの、動作中のＣＡＤプログラムの種類に対応するコマンドリストからその変換した文字列に対応するコマンドを選択する。
【００３０】
そしてこの実施形態のＣＡＤコマンド入力装置では、そのコマンドを文字列対応コマンド選択プログラム７からミキサー１２に出力し、ミキサー１２でキーボード１０のキー操作入力に加えて上述したコマンドおよび数値データ入力型ＣＡＤプログラム８に入力する。なお、ここでも文字列対応コマンド選択プログラム７は、コマンドの文字列そのものだけでなくあらかじめコマンドとの対応関係を登録した省略形等の文字列からも対応するコマンドを選択する機能を有していてもよい。
【００３１】
従って、アンプ３とＡ／Ｄ変換器４と音声判別プログラム５とが文字列変換手段に相当し、コマンドリスト記憶プログラム６がコマンド記憶手段に相当し、文字列対応コマンド選択プログラム７がコマンド選択手段に相当し、ミキサー１２がコマンド入力手段に相当しており、この実施形態のＣＡＤコマンド入力装置によれば、先の実施形態と同様に、ＣＡＤシステムのユーザーがマウス９やキーボード１０を使用してディスプレイ装置１１の画面上で作画している際に、マウス９でカーソルをコマンドのアイコン上に移動させたりキーボード１０からコマンドを打ち込んだりしなくても、音声でコマンドを入力して作業内容を変更することができるので、作画作業を継続しつつコマンドを入力し得て作画効率を高めることができる。
【００３２】
しかも、この実施形態のＣＡＤコマンド入力装置によれば、システムボックス１３内に搭載された通常のマイクロコンピュータを用いるので、パーソナルコンピューター２はその処理能力を主にコマンドおよび数値データ入力型ＣＡＤプログラム８の実行に用いることができ、これによりコマンドおよび数値データ入力型ＣＡＤプログラム８の実行速度を確保することができる。なお、この実施形態のＣＡＤコマンド入力装置も、例えばパーソナルコンピューター２がディスプレイ装置１１に表示するデスクトップ画面上のアイコンを操作することで任意のタイミングでオン・オフすることができる。
【００３３】
以上、図示例に基づき説明したが、この発明は上述の例に限定されるものでなく特許請求の範囲の記載範囲内で適宜変更し得るものであり、例えば上記各実施形態のＣＡＤコマンド入力装置は何れも、音声判別プログラム５をパーソナルコンピューター２またはマイクロコンピュータ内にインストールして実行しているが、これに代えてインターネット上あるいはウェブ上にある音声判別プログラムを利用するようにしてもよい。
【００３４】
また、上記各実施形態のＣＡＤコマンド入力装置は何れも、外付けのマイク１を用いているが、これに代えてパーソナルコンピューター２やキーボード１０やシステムボックス１３内にビルトインされたマイクを用いるようにしてもよい。
【００３５】
さらに、上記各実施形態のＣＡＤコマンド入力装置は何れも、ＣＡＤプログラムをパーソナルコンピューター２にインストールしてＣＡＤシステムを構成しているが、これに代えてＣＡＤプログラムをサーバーにインストールしてＣＡＤシステムを構成するようにしてもよく、また、第２および第３の実施形態におけるマイクロコンピュータをキーボード１０やシステムボックス１３内に搭載する代りにマウス９内に搭載してもよい。
【００３６】
また、上記各実施形態のＣＡＤコマンド入力装置は何れも、マウスでの作画動作を妨げずにオン・オフするために、例えばキーボードの特定のファンクションキーやマウスのスクロールボタン等を操作することでオン・オフしてもよく、あるいはノイズ等によるコマンドの誤入力を防止するために、例えばマイク１から文字列対応コマンド選択プログラム７までは常時作動させておいて、例えば「音声開始」、「音声停止」等の特定の言葉を音声入力することで例えば文字列対応コマンド選択プログラム７により、コマンドおよび数値データ入力型ＣＡＤプログラム８へのコマンド入力をオン・オフするとともに、ＣＡＤ画面上にコマンド入力のオン・オフの現在の状態を表示するようにしてもよい。
【産業上の利用可能性】
【００３７】
かくしてこの発明のＣＡＤコマンド入力装置によれば、ＣＡＤシステムのユーザーがマウスやタッチペン等を使用してそのＣＡＤシステムの画面上で作画している際に、マウスやタッチペン等でカーソルをコマンドのアイコン上に移動させなくても、音声でコマンドを入力して作業内容を変更することができるので、作画作業を継続しつつコマンドを入力し得て作画効率を高めることができる。
【符号の説明】
【００３８】
１  マイク
２  パーソナルコンピューター
３  アンプ
４  Ａ／Ｄ変換器
５  音声判別プログラム
６  コマンドリスト記憶プログラム
７  文字列対応コマンド選択プログラム
８  コマンドおよび数値データ入力型ＣＡＤプログラム
９  マウス
１０  キーボード
１１  ディスプレイ装置
１２  ミキサー
１３  システムボックス
【図１】
2018049350.tif 000003
【図２】
2018049350.tif 000004
【図３】
2018049350.tif 000005
【図４】
2018049350.tif 000006
【図５】
2018049350.tif 000007
【図６】
2018049350.tif 000008